(57)【要約】【課題】木造建築物のコンクリート製基礎天端での全体の水平誤差や、微妙な平面上誤差などが基礎天端に生じるため基礎施工上、天端均し（てんばならし）と呼ばれる工程が知られている。しかし同工程によっても基礎天端の仕上がり面は３〜６ｍｍ前後以上の水平誤差や平面仕上がりの微妙な誤差は必ず生じていた。該同天端均しと呼ばれる工程には熟練した技術と施工時間を要するため人件費の増加及び、水平度を出すためのレベル用モルタル材料費が費やされて、品質面でも同レベルモルタルの剥離や強度面など技術的問題を抱えていた。これらの施工状況の下、６ｍｍ範囲内での水平度誤差の解消と当該床下換気の機能を併せ持つ、総称土台パッキン工法が現在の木造建築では一般化している。【解決手段】本発明は従来の天端均し工程無しの基礎天端の誤差がかなり大きな状態にあっても、土台天端誤差を１ｍｍ以下の水平精度に簡易作業にてできるレベル＆バランス機能付き鋼製土台パッキン。【選択図】  図９
2008031706.tif 000002
【特許請求の範囲】
【請求項１】
本発明はコンクリート基礎工事に於いて、生コンクリート打設による基礎天端を天端均し作業を省略した状態での基礎天端１９aの水平誤差や仕上がり面の状態が不均一で、天端表面の仕上がりが粗い状態にあっても、木製土台２１の天端レベル及びバランス調整をより正確に簡易作業に於いてできる手段として考案したものである。この天端均しを省いたコンクリート基礎天端１９aに於いて、コンクリート基礎と木製土台の間に用いる部材であって、鋼製土台パッキンプレート部１１の底面側に3箇所及び複数のナット１３付支持用突起部１２と、基礎と土台の隙間の違いに応じて数種類の長さの調整用ボルト１４a〜１４dを選定し、前記鋼製土台パッキンプレート部の底面側突起部のナット１３に、その場所に合った長さを持つ前記調整用ボルト１４a〜１４dを選定し、挿入ねじ込みし微妙な調節ができる。当該木造建築物の基礎が床下に入れる構造であれば工事途中及び竣工後に於いても、木製土台の水平高さ及びバランス調整が簡単な作業によってできるレベル＆バランス機能付き鋼製土台パッキン。
【請求項２】
前記鋼製土台パッキンプレート部の底面側ナット付突起部１２は、螺子下長さ１５ｍｍ及びその他の長さ２０〜３０ｍｍの調整ボルトが、土台レベル調整のためナットを貫通しねじ込まれた状態に於いて、各調整ボルト１４a〜１４dが６ｍｍ程度までの高さ調整のためのナット部１３を越えた時に必要とする空隙を有する。よって各調整用ボルト１４a〜１４dのネジヤマ掛部分が少なくなる取り付けを防ぐ事ができ、耐荷重を損なう事なくして６ｍｍ前後の高さ調整ができる前項に記載の木造建築物に於ける、木製土台の水平精度が耐荷重強度を損なうことなく、より簡単な作業で施工できるレベル＆バランス機能付き鋼製土台パッキン。
【請求項３】
前記鋼製土台パッキンプレート部の底面側の突起部ナット１３及び、調整用ボルト螺子下長さ１５ｍｍ１４aによって、高さ及びバランス調整を２０ｍｍ〜２６ｍｍの範囲で微調整できる。該調整用ボルト螺子下長さを２０ｍｍ１４ｂ或は２５ｍｍ１４ｃそして３０ｍｍ１４ｄと５ｍｍ単位の長さで変更交換することによって、２０ｍｍ〜３６ｍｍ程度の範囲に於いて微調整できる。また、これ以外の調整ボルトの螺子下長さを変更する事で、その範囲以上にも対応し、微調整ができるように構成されている。よって、柱２２の直下や土台のつなぎ目２１b、アンカーボルト部２０の限られた範囲の、コンクリート基礎天端１９aの表面仕上げの粗さや水平誤差が大きな状態にあっても、木造建築物の土台２１のバランス調整と土台天端２１aの水平精度が簡易作業によって微調整ができるレベル＆バランス機能付き鋼製土台パッキン。
【発明の詳細な説明】
【技術分野】
【０００１】
本発明は、木造建築物のコンクリート基礎上の天端に敷設される木製土台との間に介装して使用し、コンクリート基礎天端の水平や仕上げ面のバラツキに影響される事なく、木製土台の天端の高さ及びバランスを簡易な作業によって、正確に施工できるレベル＆バランス機能付き鋼製土台パッキンに関する。
【背景技術】
【０００２】
木造建築物のコンクリート布基礎及びその他のコンクリート基礎と、当該これらのコンクリート基礎上に敷設される木製土台との間に介装して使用する木造建築物の土台下パッキンは、土台下に通気口として機能する隙間が確保されるため、コンクリート基礎に面する木製土台底面の腐食を防止し得るだけでなく、床下の換気効果が大きくなり、建物自体に好効果を及ぼすことが知られている。従来のこの種の土台下パッキンは、化学系の樹脂材料を使った長方形厚板状のものが多く使われている。
また、金属を用いて加工された通気を主体に考案されたものもある（例えば、特開平１０−２１９８５６参照。）。
【特許文献１】特開平１０−２１９８５６号公報
【０００３】
この種の土台下パッキンは床下の通気及び換気を主な目的に開発されたものであり、高さ調整も１〜６ｍｍと限られた範囲では可能であるが、微妙なバランス調整は不可能に近い状況である。また、ある程度の高さ調整はできるもののパッキン自体のバランス調整が殆んどできない等の問題を抱えていた。したがって同工法に於いては、コンクリート基礎天端の水平精度が許容範囲以内に満たされた状態のみ使用が可能であった。
【０００４】
これらの土台下パッキンの適正な性能を発揮させるためには、コンクリート基礎の天端の水平度や平面度の仕上げの品質を上げなければならないという課題が残されている。このコンクリート基礎天端面仕上げの品質向上対策として、一般的なモルタルセメントやモルタルコンクリートを液状にした特殊なレベルモルタル等を使った、天端均し（てんばならし）作業が一般化している。しかし、これらの施工方法を用いてもコンクリート基礎天端の水平度及び平面度の仕上がり状況は不均等であり、また作業者の技術水準にも大きく影響されてしまう。
【０００５】
モルタルセメントやレベルモルタル等を使いコンクリート基礎天端の水平度及び平面度を仕上げる、天端均し工法に於いては、同レベルモルタル等の剥離現象や強度不足という問題が少なからぬ状況で起きるため、建築物の品質や耐久性に対し必ずしも芳しい状況とはいえなかった。
【０００６】
また、同施工方法ではレベルモルタル材を使うための材料費や、同天端均し作業に掛かる人件費のコストの増大を伴った。当該これらの施工方法を行ってもコンクリート製基礎天端の水平度及び平面度の仕上がり状況の一定化は非常に難しい状態である。
【０００７】
現状の建築現場に於いて、同コンクリート基礎天端仕上がり状況のもと、木製土台天端の水平度もコンクリート基礎天端仕上がりに比例してかなりの誤差が生じてしまう。当該木製土台の水平精度欠落のまま、木工事が次工程で修正施工が進められているという課題があった。
【発明の開示】
【発明が解決しようとする課題】
【０００８】
上記のような従来の土台下パッキンでは、現状の基礎コンクリート天端での、基礎全体の大きな水平誤差や、且つ天端仕上がり面の部分的なごく微妙な水平誤差など、多様な水平面誤差のバラツキが基礎コンクリート天端に生じるため、木製土台の天端の水平度を正確に出すのに大変な労力と技術を必要としていた。したがって木製土台の天端レベルに大きな誤差を残したまま、次工程の土台と根太間にパッキンを入れ調整するなど、応急処置的な施工を行うため、次に連鎖する工程に於いてさらなる影響を受け、そのつど手直し調整の労力がかかっていた。当該建築物そのものに品質上の問題も起きていた。
【０００９】
その他、現状の基礎工法の生コンクリート打設工事に於いては、基礎天端の水平誤差や仕上がり面の不均一が生じるため直後に、天端均し作業が常識化していた。しかし同工程で使われるレベルモルタルの剥離や強度不足等の品質問題があり、当該天端均し作業の改善もしくは省略化は確たる必要性に迫られていた。
【課題を解決するための手段】
【００１０】
本発明はコンクリート基礎工事に於いて、生コンクリート打設による基礎天端を天端均し作業を省略した状態での基礎天端１９aの水平誤差や仕上がり面の状態が不均一で、天端表面の仕上がりが粗い状態にあっても、木製土台２１の天端レベル及びバランス調整をより正確に簡易作業に於いてできる手段として考案したものである。この天端均しを省いたコンクリート基礎天端１９aに於いて、コンクリート基礎と木製土台の間に用いる部材であって、鋼製土台パッキンプレート部１１の底面側に3箇所及び複数のナット１３付支持用突起部１２と、基礎と土台の隙間の違いに応じて数種類の長さの調整用ボルト１４a〜１４dを選定し、前記鋼製土台パッキンプレート部の底面側突起部のナット１３に、その場所に合った長さを持つ前記調整用ボルト１４a〜１４dを選定し、挿入ねじ込みし微妙な調節ができる。当該木造建築物の基礎が床下に入れる構造であれば工事途中及び竣工後に於いても、木製土台の水平高さ及びバランス調整が簡単な作業によってできる。レベル＆バランス機能付き鋼製土台パッキン。
【００１１】
前記鋼製土台パッキンプレート部の底面側ナット付突起部１２は、螺子下長さ１５ｍｍ及びその他の長さ２０〜３０ｍｍの調整ボルトが、土台レベル調整のためナットを貫通しねじ込まれた状態に於いて、各調整ボルト１４a〜１４dが６ｍｍ程度までの高さ調整のためのナット部１３を越えた時に必要とする空隙を有する。よって各調整用ボルト１４a〜１４dのネジヤマ掛部分が少なくなる取り付けを防ぐ事ができ、耐荷重を損なう事なくして６ｍｍ前後の高さ調整ができる前項に記載の木造建築物に於ける、木製土台の水平精度が耐荷重強度を損なうことなく、より簡単な作業で施工できる。レベル＆バランス機能付き鋼製土台パッキン。
【００１２】
前記鋼製土台パッキンプレート部の底面側の突起部ナット１３及び、調整用ボルト螺子下長さ１５ｍｍ１４aによって、高さ及びバランス調整を２０ｍｍ〜２６ｍｍの範囲で微調整できる。該調整用ボルト螺子下長さを２０ｍｍ１４ｂ或は２５ｍｍ１４ｃそして３０ｍｍ１４ｄと５ｍｍ単位の長さで変更交換することによって、２０ｍｍ〜３６ｍｍ程度の範囲に於いて微調整できる。また、これ以外の調整ボルトの螺子下長さを変更する事で、その範囲以上にも対応し、微調整ができるように構成されている。よって、柱２２の直下や土台のつなぎ目２１b、アンカーボルト部２０の限られた範囲の、コンクリート基礎天端１９aの表面仕上げの粗さや水平誤差が大きな状態にあっても、木造建築物の土台２１のバランス調整と土台天端２１aの水平精度が簡易作業によって微調整ができるレベル＆バランス機能付き鋼製土台パッキン。
【発明の効果】
【００１３】
本発明は、上記のような従来の問題点である基礎天端均し作業が省けるため、該天端均しに使われるレベルモルタルの剥離及び強度や耐久性の問題を解消できる。
【００１４】
また、コンクリート基礎天端１９aの凹凸などに関わらず、レベル＆バランス機能付き鋼製土台パッキンが建築物から受ける荷重に対して平衡に受けられるため、建物本体の荷重が分散され、特定箇所に偏った負担がかからない構成となっている。
【００１５】
上記のように基礎コンクリート天端１９aの水平及び平坦度のばらつきがかなり悪い状態でも、木造建築物の木製土台２１のバランスを整え、当該いままで不可能であった全体の水平精度を１ｍｍ以内のレベル誤差まで容易にして解決し得る、レベル＆バランス機能付きの鋼製土台パッキン１０を提供することを目的とするものである。
【発明を実施するための最良の形態】
【００１６】
以下、本発明の実施の形態を図１〜図９に基づいて説明する。
【００１７】
その手段を後述する実施形態の参照符号を付して示すと、鋼製土台パッキンプレート部１１の底面側に複数の支持用突起部１２と、その突起部に密着した複数のナット１３と調整用ボルト１４a〜１４ｄを設けた図１〜図２に示す、レベル＆バランス機能付き鋼製土台パッキン１０である。前記突起部に密着した複数のナット１３は、調整用ボルト１４aの螺子下長さ１５ミリを標準として、基礎コンクリート天端高さのバラツキに応じ、螺子下長さ２０〜３０ミリ程度の調整用ボルト１４ｂ〜１４ｄを選定し図９に示すように挿入する。それぞれの調整用ボルトは螺子回転による微妙な高さを調節できるレベル＆バランス機能付き鋼製土台パッキン。
【００１８】
上記の本発明木造建築物のレベル＆バランス機能付き鋼製土台パッキン１０を実施するに際し、図５に示すようにコンクリート基礎１９の側面或は水平墨１８を墨付けできる場所を選定し水平墨１８を正確に印す。この時、水盛管を用いる事でより正確な水平墨が確保される。また、図６に示すように柱２２の立つ位置及び図８に示す土台のつなぎ目２１a、図７に示したアンカーボルト２０の位置を確認の上、水平墨とレベル＆バランス機能付き鋼製土台パッキン１０が取り付く各位置のコンクリート天端の高さを測定し、その高さにあった調整用ボルト１４a〜１４ｄを選定する。
【００１９】
基準墨１８とレベル＆バランス機能付き鋼製土台パッキン１０を取り付ける各位置のコンクリート天端１９aの高さ、即ち基礎１９と土台２１の隙間誤差を把握の上、鋼製土台パッキンプレート部１１の底面側突起部ナット１３に、調整用ボルト１４a〜１４ｄ螺子下長さ１５ミリ〜３０ミリを基礎と土台の隙間に合わせ選定しねじ込む。該木製土台２１の底辺部に鋼製土台パッキンプレート部１１の楔１６又は、釘穴１７から釘を撃ち付け木製土台２１の底辺部に固定する。この時アンカーボルト２０については、図７の取り付け図に示すように、鋼製土台パッキンプレート部１１の三角穴１５にアンカーボルトを入れ基礎天端１９aに据えつける。
【００２０】
次に、各所定箇所にレベル＆バランス機能付き鋼製土台パッキン１０を取り付けた木製土台２１をコンクリート基礎１９上に配置して固定する。この時、コンクリート基礎天端１９aの一番高いところを基準に、調整ボルト１４aを取り付けたレベル＆バランス機能付き鋼製土台パッキン１０は、調整ボルト１４aを支持用突起部接合ナット１３に締め込み一番低くした状態でバランスを取りながらセットする。この高さを基準として、各所定箇所の取り付けたレベル＆バランス機能付き鋼製土台パッキン１０の各種調整ボルト１４a〜１４dを選定し微調整する事で、コンクリート基礎天端１９aの水平誤差や仕上がり状況が粗い状態であっても、簡易作業によって木製土台天端２１aの水平を１ｍｍ以内の誤差に収める事ができる。
【００２１】
また、土台２１の敷設に於いて水平とバランスを正確に出したにも拘らず、建築進捗状況によって土台上にかかる建築物荷重はかなりの変化をもたらす事が予想される。これらの変化によって、木製土台天端２１aの水平に誤差が生じる可能性は大きい。しかし、レベル＆バランス機能付き鋼製パッキン１０は工事途中、或は完成後に於いても床下に入れる基礎構造であれば、図９に示す各調整ボルト１４a〜１４dを一般用スパナで回転による各調整によって、水平及びバランス調整が簡単に行える。
【図面の簡単な説明】
【００２２】
【図１】Ａ図は正面図  Ｂ図は平面図  Ｃ図は側面図
【図２】Ｄ図は正面から見た断面図  Ｅ図は側面から見た断面図
【図３】鋼製プレートのみのＡ１図は正面図  Ｂ１図は平面図  Ｃ１図は側面図
【図４】鋼製プレートのみのＤ１図は正面から見た断面図  Ｅ１図は側面から見た断面図
【図５】コンクリート基礎１９の側面に印した水平墨１８
【図６】コンクリート基礎と柱下の木製土台の所に設置した図
【図７】コンクリート基礎と木製土台のアンカーボルトの所に設置した図
【図８】コンクリート基礎と木製土台のつなぎ目に設置した図
【図９】レベル＆バランス機能付き鋼製パッキン１０の３次元図
【符号の説明】
【００２３】
１０  レベル＆バランス機能付き鋼製土台パッキン
１１  鋼製土台プレート部
１２  鋼製土台プレート底部支持用突起部
１２a鋼製土台プレート底部支持用突起部の穴
１３  支持用突起部接合ナット
１４a  バランス調整用ボルト  螺子下長さ  １５ｍｍ
１４b  バランス調整用ボルト  螺子下長さ  ２０ｍｍ
１４c  バランス調整用ボルト  螺子下長さ  ２５ｍｍ
１４d  バランス調整用ボルト  螺子下長さ  ３０ｍｍ
１５  アンカーボルト用穴部
１６  土台滑り止め用突起金具部
１７  土台固定用釘穴
１８  水平墨
１９  コンクリート製基礎
１９a コンクリート基礎天端
２０  アンカーボルト
２１  木製土台
２１a 木製土台天端
２１b 木製土台つなぎ目
２２  木製柱
【図１】
2008031706.tif 000003
【図２】
2008031706.tif 000004
【図３】
2008031706.tif 000005
【図４】
2008031706.tif 000006
【図５】
2008031706.tif 000007
【図６】
2008031706.tif 000008
【図７】
2008031706.tif 000009
【図８】
2008031706.tif 000010
【図９】
2008031706.tif 000011